(57)【要約】【課題】操作性を向上させて操作の間違いを抑止することができる印刷装置を提供する。【解決手段】プリンタ本体１２は、画面表示部３１を備えており、その画面表示部３１には各種印刷条件を設定可能なメニュー画面が表示される。メニュー画面としては、例えば、各種印刷条件を設定可能な標準画面及びその標準画面を構成するメニューのうち、例えばＣＤ−Ｒに関する一部のメニューにより構成されたＣＤ−Ｒ画面を表示可能に構成されている。また、プリンタ１１は、ＣＤ−Ｒに印刷を行う際のガイドとなるＣＤ−Ｒガイド２４を備えており、そのＣＤ−Ｒガイド２４の開閉がセンサ部２７により検知される。そして、ＣＤ−Ｒガイド２４が開けられるとセンサ部２７がそれを検知し、画面表示部３１にＣＤ−Ｒ画面が表示される。【選択図】      図３
2005125751.tif 000002
【特許請求の範囲】
【請求項１】
メニュー画面を表示可能な表示手段を備え、前記メニュー画面におけるメニューが選択されて各種印刷条件が設定される印刷装置において、
前記メニュー画面として、前記各種印刷条件を設定可能なメニューで構成された標準画面と、前記標準画面を構成するメニューの一部を含み、前記メニュー画面にて設定される印刷条件のうちの一部を設定可能に構成された専用画面とを記憶する記憶手段と、
所定の操作を検知する検知手段と、
前記検知手段による検知結果に基づき前記標準画面と前記専用画面とを切り換えて前記表示手段に表示させる表示制御手段と、
を備えたことを特徴とする印刷装置。
【請求項２】
前記専用画面は、前記標準画面を構成するメニューのうち所定の種類のメディアの印刷条件に関連するメニューで構成されたメディア用画面を備えていることを特徴とする請求項１に記載の印刷装置。
【請求項３】
前記検知手段は、前記所定の種類のメディアの挿入に関わる操作を検知する手段であって、該検知手段が前記所定の種類のメディアの挿入に関わる操作を検知した場合に、前記表示制御手段は前記表示手段に前記メディア用画面を表示することを特徴とする請求項２に記載の印刷装置。
【請求項４】
前記検知手段は、前記所定の種類のメディア用ガイドが前記メディアの挿入を案内可能な状態にセットされたことを検知する手段であって、該検知手段が前記メディア用ガイドがセットされたことを検知した場合に、前記表示制御手段は前記表示手段に前記メディア用画面を表示することを特徴とする請求項２に記載の印刷装置。
【請求項５】
前記専用画面は、階層化された複数の画面を備え、前記表示制御手段は、入力手段の操作に従って少なくとも１つの選択画面を表示した後に前記メディア用画面を表示し、前記検知手段からの検知信号に応答して前記選択画面を表示せずに直接的に前記メディア用画面を表示することを特徴とする請求項２〜４のうち何れか１項に記載の印刷装置。
【請求項６】
メニュー画面を表示手段に表示させ、前記メニュー画面におけるメニューが選択されると各種印刷条件を設定する印刷方法において、
前記メニュー画面として、前記各種印刷条件を設定可能なメニューで構成された標準画面と、前記標準画面を構成するメニューのうち所定の種類のメディアの印刷条件に関連するメニューを設定可能に構成されたメディア用画面とが記憶手段に記憶されており、
前記所定の種類のメディアの挿入に関わる操作を検知する検知段階と、
前記検知段階で前記所定の種類のメディアの挿入に関わる操作を検知した場合に、前記標準画面と前記メディア用画面とを切り換えて前記表示手段に表示させる表示制御段階と、
を有することを特徴とする印刷方法。
【発明の詳細な説明】
【技術分野】
【０００１】
本発明は、各種印刷条件を設定可能なメニュー画面を表示する表示手段を備えた印刷装置及び印刷方法に関する。
【背景技術】
【０００２】
従来、プリンタや複合機等では、各種メモリーカード（フラッシュメモリ等）を挿入するスロットを有し、メモリーカードから取得した画像を印刷するスタンドアロン型のものが知られている。この種の印刷装置は、ホストコンピュータ（ＰＣ）が不要（又は接続の手間が不要）であるため利便性が高い。また、このような印刷装置では、取得した画像を印刷するに際して、印刷条件を設定するためのメニュー画面を表示可能な画面表示部を有する操作パネルが設けられている（例えば、特許文献１参照）。このメニュー画面は、例えば、写真選択、印刷対象（Ａ４普通紙、はがき、ＣＤ−Ｒ等）、レイアウト、枚数等の各種印刷条件を設定可能な多数のメニューで構成されている。ユーザは、操作パネルに設けられた操作ボタンを操作してメニュー画面に表示されるメニューを選択して印刷条件を設定して印刷を行う。
【特許文献１】特開２００３−２４１９９０号公報（明細書の段落[００２７]、[００２８]、第１図）
【発明の開示】
【発明が解決しようとする課題】
【０００３】
ところが、上記メニュー画面は１つの画面上に多数のメニューが操作ボタンの操作に従って順次表示される構成である。つまり、ユーザが所望するメニュー以外にも多数のメニューが表示されるため、目的とするメニューが見つけにくい等の使い勝手が悪く、操作性に乏しいという問題があった。また、操作に従って順次表示されるため、メニューを間違って選択することもあった。さらに、さほど機能を必要としない人にとっては、多数のメニューはかえって操作が複雑であり、操作を間違え易いという問題があった。
【０００４】
本発明は、上記問題に鑑みてなされたものであって、その目的は、操作性を向上させて操作の間違いを抑止することができる印刷装置を提供することにある。
【課題を解決するための手段】
【０００５】
上記問題点を解決するために、本発明は、メニュー画面を表示可能な表示手段を備え、前記メニュー画面におけるメニューが選択されて各種印刷条件が設定される印刷装置において、前記メニュー画面として、前記各種印刷条件を設定可能なメニューで構成された標準画面と、前記標準画面を構成するメニューの一部を含み、前記メニュー画面にて設定される印刷条件のうちの一部を設定可能に構成された専用画面とを記憶する記憶手段と、所定の操作を検知する検知手段と、前記検知手段による検知結果に基づき前記標準画面と前記専用画面とを切り換えて前記表示手段に表示させる表示制御手段と、を備えたことを要旨とする。
【０００６】
この構成とすれば、従来と同様に多数のメニューを表示する標準画面に加えて、標準画面の一部、つまり標準画面のメニューよりも少ないメニューで構成され、所定の印刷条件を設定可能に構成された専用画面が表示手段に表示される。例えば、その専用画面として、ＣＤ−Ｒに関連する印刷条件を設定可能なメニューで構成されたＣＤ−Ｒ用の画面を備え、所定の操作として画面を切り換えるために設けられたスイッチがユーザにより押されたことを検知するように構成する。これにより、ユーザは、ＣＤ−Ｒに印刷したい場合には、スイッチを押してＣＤ−Ｒ用の画面を表示手段に表示させることができる。つまり、所定の操作を行うことで所望のメニューで構成されたメニュー画面を得ることができる。このため、操作性を向上させることができ、操作の間違いを抑止することができる。
【０００７】
また、本発明は、前記専用画面は、前記標準画面を構成するメニューのうち所定の種類のメディアの印刷条件に関連するメニューで構成されたメディア用画面を備えていることを要旨とする。なお、所定の種類のメディアとはＣＤ−ＲやＤＶＤ−Ｒのような記録媒体であって、かつ、印刷可能な面を備える記憶媒体のことを示す。
【０００８】
この発明によれば、普通紙等に比べて特殊な形状であり、また、近年使用されることが多いＣＤ−ＲやＤＶＤ−Ｒ等の所定の種類のメディアへの印刷に対応する専用画面を設けた。このため、標準画面でＣＤ−Ｒ等のメニューを選択して設定する場合に比べて、所定の種類のメディアに関連するメニューで構成されているため操作性を向上させることができ、操作を容易にすることができる。
【０００９】
さらに、本発明は、前記検知手段は、前記所定の種類のメディアの挿入に関わる操作を検知する手段であって、該検知手段が前記所定の種類のメディアの挿入に関わる操作を検知した場合に、前記表示制御手段は前記表示手段に前記メディア用画面を表示することを要旨とする。
【００１０】
この発明によれば、所定の種類のメディアに対して印刷を行う際に必然的に行われる操作、即ち所定の種類のメディアの挿入に関わる操作が検知手段により検知されて、表示手段にメディア用の画面が表示される。このため、所望するメディア用の画面を面倒な入力操作無しに表示させることができる。
【００１１】
また、本発明は、前記検知手段は、前記所定の種類のメディア用ガイドが前記メディアの挿入を案内可能な状態にセットされたことを検知する手段であって、該検知手段が前記メディア用ガイドがセットされたことを検知した場合に、前記表示制御手段は前記表示手段に前記メディア用画面を表示することを要旨とする。
【００１２】
この発明によれば、所定の種類のメディアに対して印刷を行う際に必然的に行われる操作、即ち所定の種類のメディア用ガイドがメディアの挿入を案内可能な状態にセットされる操作が検知手段により検知されて表示手段にメディア用の画面が表示される。このため、所望するメディア用の画面を容易な操作で表示させることができる。
【００１３】
また、本発明は、前記専用画面は、階層化された複数の画面を備え、前記表示制御手段は、入力手段の操作に従って少なくとも１つの選択画面を表示した後に前記メディア用画面を表示し、前記検知手段からの検知信号に応答して前記選択画面を表示せずに直接的に前記メディア用画面を表示することを要旨とする。
【００１４】
この発明によれば、入力手段の操作に従って少なくとも１つの選択画面が表示された後にメディア用画面が表示される場合に、所定の種類のメディアに対して印刷を行う際に必然的に行われる操作等が検知手段に検知されると、それら選択画面が表示されずにメディア用画面が表示される。このため、所望するメディア用の画面を入力操作無しに表示させることができる。
【００１５】
また、本発明は、メニュー画面を表示手段に表示させ、前記メニュー画面におけるメニューが選択されると各種印刷条件を設定する印刷方法において、前記メニュー画面として、前記各種印刷条件を設定可能なメニューで構成された標準画面と、前記標準画面を構成するメニューのうち所定の種類のメディアの印刷条件に関連するメニューを設定可能に構成されたメディア用画面とが記憶手段に記憶されており、前記所定の種類のメディアの挿入に関わる操作を検知する検知段階と、前記検知段階で前記所定の種類のメディアの挿入に関わる操作を検知した場合に、前記標準画面と前記メディア用画面とを切り換えて前記表示手段に表示させる表示制御段階と、を有することを要旨とする。
【００１６】
この方法によれば、所定の種類のメディアに対して印刷を行う際に必然的に行われる操作、即ち所定の種類のメディアの挿入に関わる操作が検知された場合に、表示手段にメディア用の画面が表示される。このため、所望するメディア用の画面を面倒な入力操作無しに表示させることができる。
【発明を実施するための最良の形態】
【００１７】
以下、本発明に係る印刷装置を具体化した一実施の形態について図１〜図６を参照にして説明する。
図１に示すように、印刷装置としてのプリンタ１１は、プリンタ本体１２と、プリンタ本体１２の背面側に設けられた給紙装置１２ａとを備えている。給紙装置１２ａにセットされた用紙は１枚ずつプリンタ本体１２に給紙されるようになっている。
【００１８】
プリンタ本体１２は、そのケース１３の内部に印刷機構１４を備え、図示しない紙送り装置によって用紙が紙送りされて印刷が行われる。詳しくは、印刷機構１４は、レール１５に案内されてプラテン１６の軸方向と平行に往復移動可能なキャリッジ１７を備えている。キャリッジ１７はキャリッジモータ１８とタイミングベルト１９を介して連結され、キャリッジモータ１８の駆動によって駆動される。キャリッジ１７の下部には、用紙と対向する下面側に印刷ヘッド２１が配設されており、この印刷ヘッド２１からインクが吐出されて用紙Ｓに印刷が行われる。印刷された用紙Ｓはプリンタ本体１２の正面下部に開口する排出口１２ｂから排紙される。なお、キャリッジ１７の移動方向を主走査方向といい、用紙Ｓの紙送り方向を副走査方向という。
【００１９】
プリンタ１１は、デジタルカメラ等により画像が記録されたメモリーカードを挿し込むためのスロット２２を有する読取装置２３をプリンタ本体１２に備えている。なお、本実施の形態におけるプリンタ１１は、ホストコンピュータ（ＰＣ）と接続することなくメモリーカード内の画像を印刷可能なスタンドアロン型のプリンタである。
【００２０】
図２及び図３に示すように、プリンタ本体１２は排出口１２ｂの上方にＣＤ−Ｒ印刷する際のガイドとなるＣＤ−Ｒガイド２４を備えている。詳しくは、ＣＤ−Ｒガイド２４は、トレイ２５が挿入される挿入口２４ａを開閉可能に覆うようにしてプリンタ本体１２に組み付けられている。このＣＤ−Ｒガイド２４が開けられた状態（図３の状態）で、所定の種類のメディアとしてのＣＤ−Ｒ２６が載置されたトレイ２５が挿入口２４ａからプリンタ本体１２内に挿入され、そのＣＤ−Ｒ２６に対して印刷が行われる。なお、ＣＤ−Ｒ２６に印刷を行うに際してＣＤ−Ｒ２６の厚み等を考慮して印刷機構を調節する必要があるが、本実施の形態ではＣＤ−Ｒガイド２４が開けられることに連動して、印刷の基準（高さ）が挿入されるトレイ２５のＣＤ−Ｒ２６に合うようにプラテン１６及びキャリッジ１７等の印刷機構が自動で調整されるようになっている。
【００２１】
また、プリンタ本体１２には、挿入口２４ａの上部で、かつ閉じられたＣＤ−Ｒガイド２４に押圧される位置（図３参照）に検知手段としてのセンサ部２７が設けられている。センサ部２７は、ＣＤ−Ｒガイド２４の開閉を検知するセンサであり、ＣＤ−Ｒガイド２４の開閉状態に応じた信号を出力する。
【００２２】
プリンタ１１は、プリンタ本体１２の上面右部に操作パネル３０を備えており、その操作パネル３０は、表示手段としての画面表示部３１及び操作部３２を備えている。画面表示部３１には、各種印刷条件を設定するためのメニュー画面が表示される。操作部３２は、メニュー画面に表示されるメニューを選択する際に使用されるカーソルボタン３２ａ及び選択したメニューを決定するための決定ボタン３２ｂを備えており、これらが操作されることで印刷条件が設定される。
【００２３】
画面表示部３１は、メニュー画面として、標準画面Ｇ１（図４（ａ）参照）、専用画面及びメディア用画面としてのＣＤ−Ｒ画面Ｇ２（図４（ｂ）参照）、及び同じく専用画面としてのベーシック画面Ｇ３（図４（ｃ）参照）の３種類の画面を表示可能に構成されている。
【００２４】
標準画面Ｇ１は、写真選択（印刷する写真（画像）の選択）・枚数（印刷の枚数）・レイアウト・詳細設定等の複数のメニューで構成されている。詳細設定とは、主に画像自体に関するメニューで構成されており、この詳細設定のメニューを選択すると、例えば、画質、明るさ等のメニューが表示される。
【００２５】
ＣＤ−Ｒ画面Ｇ２は、標準画面Ｇ１を構成するメニューのうちＣＤ−Ｒに関連する一部のメニューを含み、本実施の形態では、写真選択・枚数・レイアウト・ＣＤ−Ｒ詳細設定のメニューを主として構成されている。このＣＤ−Ｒ詳細設定のメニューは、標準画面Ｇ１における詳細設定と基本的に同じであるが、通常、ＣＤ−Ｒ画面Ｇ２においては、画質や明るさ等の画像自体に関する印刷条件に関しては所定の条件に固定され、例えば、画質は最高画質、明るさは標準で固定されている。
【００２６】
ベーシック画面Ｇ３は、標準画面Ｇ１を構成するメニューの一部である写真選択、枚数の２つのメニューで構成されているとともに、それらメニューの文字の大きさが標準画面Ｇ１やＣＤ−Ｒ画面Ｇ２における文字に比べて大きく表示されている。なお、ベーシック画面Ｇ３でもＣＤ−Ｒ画面Ｇ２と同様に画像自体に関する印刷条件は上記のように所定の条件に固定されている。
【００２７】
また、操作部３２には、画面表示部３１に表示される上記３種類の画面を切り換えるための入力手段としての切換ボタン３２ｃが設けられており、ユーザにより押圧操作されることでいずれか１つの画面に切り換え可能に構成されている。この切換ボタン３２ｃが押されることで、例えば標準画面Ｇ１→ＣＤ−Ｒ画面Ｇ２→標準画面Ｇ１の順で循環的に切り換わるようになっている。
【００２８】
次に、本実施の形態におけるプリンタの電気的な構成について説明する。
図５に示すように、プリンタ１１は、センサ部２７、プリンタ１１のメイン制御を司るＣＰＵ４１、ＲＡＭ４２、ＲＯＭ４３、操作部３２及び画面表示部３１におけるメニュー画面の表示制御を行う表示制御手段としての表示制御部４４を備えており、それぞれがバスＢを介して接続されている。ＣＰＵ４１は、ＲＯＭ４３に記憶された各種プログラムに基づきＲＡＭ４２をメモリ領域として印刷機構１４等を制御する。また、ＲＯＭ４３には、標準画面Ｇ１、ＣＤ−Ｒ画面Ｇ２及びベーシック画面Ｇ３の３つの画面のデータが記憶されている。
【００２９】
センサ部２７は、所定の操作としてＣＤ−Ｒガイド２４が開けられると、バスＢを介してＯＮ信号をＣＰＵ４１に対して出力し、ＣＤ−Ｒガイド２４が閉じられると、バスＢを介してＯＦＦ信号をＣＰＵ４１に対して出力する。
【００３０】
ＣＰＵ４１は、センサ部２７からＯＮ信号を入力すると、バスＢを介してＯＰＥＮ信号を表示制御部４４に出力し、センサ部２７からＯＦＦ信号を入力すると、バスＢを介してＣＬＯＳＥ信号を表示制御部４４に出力する。
【００３１】
表示制御部４４は、主として自身に組み込まれた制御アプリケーション（以下、制御アプリという）４５に従って画面表示部３１の表示制御を行う。詳しくは、制御アプリ４５は、上記３種類の画面に対応した標準モード、ＣＤ−Ｒモード及びベーシックモードの３つのモードを備えており、表示制御部４４は制御アプリ４５におけるモードを切り換えることでＲＯＭ４３から標準画面Ｇ１、ＣＤ−Ｒ画面Ｇ２及びベーシック画面Ｇ３のいずれか１つを読み出して画面表示部３１に表示する。また、表示制御部４４は、メニュー画面を切り換える際、その切り換える旨を所定時間（例えば１秒）の間だけ画面表示部３１に表示（ポップアップ表示等）するようになっている。
【００３２】
次に、上記構成からなるプリンタの作用について図６を参照にして説明する。
図６に示すように、まず、ユーザによりＣＤ−Ｒガイド２４が開けられると、ステップＳ１１において、センサ部２７はバスＢを介してＯＮ信号をＣＰＵ４１に対して出力する。そして、ステップＳ１２において、ＣＰＵ４１は、ＯＮ信号を入力するとＣＤ−Ｒガイド２４が開けられたと判断し、バスＢを介して表示制御部４４にＯＰＥＮ信号を出力する。
【００３３】
ステップＳ１３において、表示制御部４４は、ＣＰＵ４１からＯＰＥＮ信号を受信すると、画面表示部３１に現在表示されている画面からＣＤ−Ｒ画面Ｇ２に切り換える旨を所定時間（例えば１秒）の間、画面表示部３１に表示して通知を行う。その後、ステップＳ１４において、表示制御部４４は、制御アプリ４５に対してモード切換信号を出力する。すると、ステップＳ１５において、制御アプリ４５は現在のモードからＣＤ−Ｒモードに移行する。そして、ステップＳ１６において、制御アプリ４５によりＲＯＭ４３からＣＤ−Ｒ画面Ｇ２のデータが読み出され、画面表示部３１にＣＤ−Ｒ画面Ｇ２が表示される。これにより、画面表示部３１がＣＤ−Ｒ画面Ｇ２に切り換わり、ユーザは、そのＣＤ−Ｒ画面Ｇ２上のメニューを選択して印刷条件を設定することができる。そして、設定された印刷条件を基にＣＰＵ４１により印刷機構１４への制御がなされ、ＣＤ−Ｒ２６に対して印刷が行われる。
【００３４】
一方、ＣＤ−Ｒ２６への印刷が終了し、トレイ２５が挿入口から取り出されてＣＤ−Ｒガイド２４が閉じられると、ステップＳ１７において、センサ部２７はバスＢを介してＣＰＵ４１に対してＯＦＦ信号を出力する。ステップＳ１８において、ＣＰＵ４１は、ＯＦＦ信号を入力するとＣＤ−Ｒガイド２４が閉じられた状態であると判断し、バスＢを介してＣＬＯＳＥ信号を出力する。
【００３５】
ステップＳ１９において、表示制御部４４は、ＣＰＵ４１からＣＬＯＳＥ信号を入力すると、制御アプリ４５に対してモード切換信号を出力する。すると、ステップＳ２０において、制御アプリ４５は、現在のＣＤ−Ｒモードから１つ前のモードに移行する。つまり、標準画面Ｇ１を表示する標準モードからＣＤ−Ｒモードに移行している場合には標準モードに移行し、ステップＳ２１において標準画面Ｇ１を表示する。一方、ベーシックモードの状態からＣＤ−Ｒモードに移行している場合にはベーシックモードに移行し、ステップＳ２１においてベーシック画面Ｇ３を表示する制御を行う。
【００３６】
なお、例えば、普通紙等に印刷が行われている最中にＣＤ−Ｒガイド２４が開けられると、表示制御部４４は、画面表示部３１にエラー画面表示し、ＣＤ−Ｒ画面Ｇ２に切り換えることをしない。この場合、普通紙への印刷が終了した後、もう一度ＣＤ−Ｒガイド２４を開けてＣＤ−Ｒ画面Ｇ２に切り換えることになる。
【００３７】
上記実施の形態によれば、以下のような効果を得ることができる。
（１）メニュー画面として、標準画面Ｇ１に加えて、標準画面Ｇ１を構成するメニューのうちＣＤ−Ｒの印刷条件に関連する一部のメニューにより構成されたＣＤ−Ｒ画面Ｇ２を画面表示部３１に表示可能とした。このため、メニューが多い標準画面Ｇ１を用いてＣＤ−Ｒに印刷するための印刷条件を設定する従来に比べて操作性を向上させることができ、操作の間違いを抑止することができる。
【００３８】
（２）メニュー画面として、標準画面Ｇ１に比べてメニューが少なく、写真選択、枚数という２つのメニューで構成され、且つ、標準画面Ｇ１に比べて文字のフォントが大きいベーシック画面Ｇ３を表示可能である。このため、さほど機能を必要としないユーザにとっては２つのメニューを操作するだけでよく、操作が容易であるため、操作の間違いを抑止することができる。また、文字が大きく表示されるため、メニューを見易くなり、視認性や操作性を向上させることができる。
【００３９】
（３）センサ部２７をＣＤ−Ｒ２６の挿入に関わる操作、即ちＣＤ−Ｒガイド２４の開閉操作を検知可能な位置に設け、ＣＤ−Ｒガイド２４の開閉操作により画面表示部３１に表示されるメニュー画面がＣＤ−Ｒ画面Ｇ２に切り換わる構成とした。つまり、ＣＤ−Ｒに印刷するために必然的に行うＣＤ−Ｒガイド２４を開けるという行為に連動して、メニュー画面が自動でＣＤ−Ｒ画面Ｇ２に切り換わる構成とした。このため、切換ボタン３２ｃを押す等の操作が必要なく、容易にＣＤ−Ｒ画面Ｇ２に切り換えることができる。
【００４０】
（４）画面表示部３１のメニュー画面がＣＤ−Ｒ画面Ｇ２に切り換えられる前に、表示制御部４４が所定時間の間、画面表示部３１を切り換える旨を表示して通知する構成とした。このため、ユーザはメニュー画面が切り換わることを事前に把握することができる。
【００４１】
なお、上記実施の形態は以下のような変形例を採用することもできる。
（変形例１）上記実施の形態では、ＣＤ−Ｒガイド２４の開閉に合わせてＯＮ，ＯＦＦするセンサ部２７を設けて画面を切り換えるためのトリガとしていたが、センサ部２７を省略した構成であってもよい。この場合は、切換ボタン３２ｃを操作することで画面を切り換える。
【００４２】
（変形例２）上記実施の形態では、専用画面としてのＣＤ−Ｒ画面Ｇ２及びベーシック画面としてのベーシック画面Ｇ３を備えていたが、この他の種類の画面を備える構成であってもよい。例えば、写真サイズ（例えば、Ｌサイズ（８９×１２７））の大きさで写真印刷を行うための専用画面を設けてもよい。
【００４３】
また、専用画面として、階層化された複数の画面を備える構成であってもよい。そして、階層化された複数の画面として、例えば、図７（ａ）に示すように印刷方法に関連するメニューで構成された印刷方法画面Ｇ４と、図７（ｂ）に示すように印刷媒体を選択可能に構成された印刷媒体画面Ｇ５とを備え、入力手段としての操作部３２の操作に従ってこれらの選択画面を表示した後にＣＤ−Ｒ画面Ｇ２を表示するように構成してもよい。
【００４４】
更には、例えば、図７（ｃ）に示すように、ＣＤ−Ｒ画面Ｇ２として、標準的なレイアウトである１面レイアウトが選択されているＣＤ−Ｒ印刷の初期画面を備える構成としてもよい。ＣＤ−Ｒ２６に印刷される写真のレイアウトとしては、例えば図で示すように１枚の写真を表示させたり、４枚或いは１２枚の写真を並べて表示させたりするパターンがある。
【００４５】
また、この場合に、検知段階としてセンサ部２７でＣＤ−Ｒガイド２４の開閉が検知されると、センサ部２７からの検知信号に応答して、表示制御段階として印刷方法画面Ｇ４及び印刷媒体画面Ｇ５を表示せずに直接的にＣＤ−Ｒ画面Ｇ２を表示するように構成してもよい。これにより、ＣＤ−Ｒ等の所定の種類のメディアに対して印刷を行う際に必然的に行われる操作が検知されるとＣＤ−Ｒ画面Ｇ２が表示されるため、面倒な入力操作をせずに容易にＣＤ−Ｒ画面Ｇ２を表示させることができ、速やかにＣＤ−Ｒ印刷に移行できる。
【００４６】
（変形例３）上記実施の形態では、ＣＤ−Ｒへの印刷が終了してＣＤ−Ｒガイド２４が閉じられることでＣＤ−Ｒモードから該ＣＤ−Ｒモードになる１つ前のモードに戻る構成としていたが、全て標準モードに戻るようにしてもよい。
【００４７】
（変形例４）上記実施の形態では、メディア用画面としてＣＤ−Ｒ画面Ｇ２を設けていたが、メディアはＣＤ−Ｒに限らずＤＶＤ−Ｒ等の他のディスク状メディアであってもよい。特に、ＤＶＤ−Ｒの場合は、ＣＤ−Ｒと形状、大きさが同じであるため上記実施の形態と同様の構成で印刷を行うことができる。
【００４８】
（変形例５）上記実施の形態において、制御アプリ４５におけるその時々のモード（メニュー画面として表示されている画面）を記憶し、プリンタ１１の起動時（電源投入時）にその記憶したモードの表示画面を表示するようにしてもよい。これにより、例えばベーシック画面Ｇ３のみを頻繁に使用するユーザにとっては、わざわざメニュー画面を切り換える必要がなくなり、操作が容易となる。
【００４９】
（変形例６）上記実施の形態では、所定の操作としてＣＤ−Ｒガイド２４が開けられることでメニュー画面がＣＤ−Ｒ画面Ｇ２に切り換わる構成であったが、所定の操作として、例えばトレイ２５が挿入口２４ａに挿入されたことでメニュー画面がＣＤ−Ｒ画面Ｇ２に切り換わるようにしてもよい。具体的には、図８に示すように、トレイ２５の上面に反射部２５ａを設け、プリンタ本体１２の挿入口２４ａの内部にフォトセンサを設けて、フォトセンサによりトレイ２５が所定位置まで挿入されたことが検出されると、その検出信号に基づいて表示制御部４４が画面表示部３１の画面を切り換える構成としてもよい。この場合、フォトセンサ及び反射部２５ａが検知手段に相当する。また、メモリーカードがスロット２２に挿入されることで切り換わるようにしてもよい。
【００５０】
（変形例７）上記実施の形態では、プリンタ本体１２は排出口１２ｂの上方にＣＤ−Ｒ印刷する際のガイドとなるＣＤ−Ｒガイド２４を備えたものとしたが、プリンタ本体１２にＣＤ−Ｒガイド２４を設けなくてもよい。その場合、例えば、図９に示すように排出口１２ｂに所定の種類のメディア用ガイドとしてのガイド部材２８を装着すれば、このガイド部材２８によりガイドされてトレイ２５が挿入される。そして、ガイド部材２８がＣＤ−Ｒ２６の挿入を案内可能な状態にセットされたことを検知する検知手段としてセンサやスイッチ等を設け、この検知手段によりガイド部材２８がセットされたことを検知した場合に、表示制御部４４は画面表示部３１にＣＤ−Ｒ画面Ｇ２を表示するように構成してもよい。
【００５１】
次に、上記実施の形態及び変形例から把握できる技術的思想について記載する。
（１）前記表示制御手段は、前記標準画面と前記専用画面とを切り換えるに際して、その切り換える旨を所定時間の間、前記表示手段に表示することを特徴とする請求項１〜請求項５のいずれか一項に記載の印刷装置。
【００５２】
（２）前記専用画面として、前記標準画面に表示される文字に比べて表示される文字が大きいベーシック画面を備えていることを特徴とする請求項１〜請求項５及び前記技術的思想（１）のいずれか一項に記載の印刷装置。
【図面の簡単な説明】
【００５３】
【図１】本実施の形態におけるプリンタの一部破断斜視図。
【図２】ＣＤ−Ｒトレイが閉じられた状態の同プリンタの斜視図。
【図３】ＣＤ−Ｒトレイが開けられた状態の同プリンタの斜視図。
【図４】（ａ）は標準画面、（ｂ）はＣＤ−Ｒ画面、（ｃ）はベーシック画面を示す説明図。
【図５】同プリンタの電気的な構成図。
【図６】本実施の形態における表示制御を示すシーケンスチャート。
【図７】変形例の（ａ）は印刷方法画面、（ｂ）は印刷媒体画面、（ｃ）はＣＤ−Ｒ画面を示す説明図。
【図８】変形例のプリンタを説明する斜視図。
【図９】変形例のプリンタを説明する斜視図。
【符号の説明】
【００５４】
Ｇ１…標準画面、Ｇ２…専用画面及びメディア用画面としてのＣＤ−Ｒ画面、Ｇ３…専用画面としてのベーシック画面、Ｇ４…選択画面としての印刷方法画面、Ｇ５…選択画面としての印刷媒体画面、１１…印刷装置としてのプリンタ、２４…メディア用ガイドとしてのＣＤ−Ｒガイド、２４ａ…挿入口、２５ａ…検知手段を構成する反射部、２７…検知手段としてのセンサ部、３２…入力手段としての操作部、２８…メディア用ガイドとしてのガイド部材、３１…表示手段としての画面表示部、４３…記憶手段としてのＲＯＭ、４４…表示制御手段としての表示制御部。
【図１】
2005125751.tif 000003
【図２】
2005125751.tif 000004
【図３】
2005125751.tif 000005
【図４】
2005125751.tif 000006
【図５】
2005125751.tif 000007
【図６】
2005125751.tif 000008
【図７】
2005125751.tif 000009
【図８】
2005125751.tif 000010
【図９】
2005125751.tif 000011